(57)【要約】【課題】架空配設されてきた光ファイバの引き込み、及び引込変更等の工事を簡易に実施でき、更に変更工事の際の廃棄部材を少なくできる。【解決手段】蒲鉾状の本体２と蓋体３とでハウジング１を形成し、内部に光ファイバ収容空間を形成した。本体２の上部に支持台８を左右に渡り設けて、その一端に電柱上に架空されたメッセンジャワイヤに装着した分線金物に係止させる係止部４を設け、支持台８上には光ファイバ９の支持線１０を支持固定する引留部５を設けた。また、ハウジング１の左右端部に光ファイバ９の入出線部７を設けた。【選択図】　図１
2004129470.tif 000002
【特許請求の範囲】
【請求項１】
本体と該本体前面を閉塞する蓋体とから成り、内部に光ファイバ収容空間を有するハウジングと、前記ハウジングの左右何れか一方に設けた分線金物等を係止させる係止部と、前記ハウジング上部に設けた少なくとも１つの光ファイバの支持線を引き留める引留部とを備え、
前記ハウジング左右側部に設けた光ファイバ入出線部から導入した光ファイバの余長分或いは連結部をハウジング内に収容可能なことを特徴とする光ファイバ収容器具。
【請求項２】
本体と該本体前面を閉塞する蓋体とから成り、内部に光ファイバ収容空間を有するハウジングと、前記ハウジング上部の左右に夫々設けた光ファイバの支持線を引留める引留部とを備え、
前記ハウジング左右端部に設けた光ファイバ入出線部から導入した光ファイバの余長分或いは連結部をハウジング内に収容可能なことを特徴とする光ファイバ収容器具。
【請求項３】
電柱に架空されたメッセンジャワイヤに分線金物を装着し、前記分線金物に請求項１に記載の光ファイバ収容器具の係止部を係止させて該光ファイバ収容器具の一端をメッセンジャワイヤに取り付け、前記メッセンジャワイヤに沿って架空配設されてきた光ファイバを前記光ファイバ収容器具の一方の入出線部から入線し、他方の入出線部から出線させて出線した光ファイバの支持線を前記光ファイバ収容器具の引留部に支持固定すると共に、出線した光ファイバを家屋に引込むことを特徴とする光ファイバ引込方法。
【請求項４】
電柱に架空された光ファイバを家屋に引き込む際に、引き込む光ファイバの途中に引留部を少なくとも２つ有する請求項１に記載の光ファイバ収容器具、或いは請求項２に記載の光ファイバ収容器具を介在させ、該光ファイバ収容器具の一方の引留部に架空側支持線を支持固定し、他方の引留部に家屋側支持線を支持固定して該支持線の張力により前記光ファイバ収容器具を空中に配置して光ファイバを引き込み、光ファイバの余長分或いは連結部を前記光ファイバ収容器具内に収容することを特徴とする光ファイバ引込方法。
【発明の詳細な説明】
【０００１】
【発明の属する技術分野】
本発明は、電柱等に架空配設された光ファイバの余長分や連結部を収容したり、光ファイバを家屋に引込む際に使用する光ファイバ収容器具、及びその光ファイバ収容器具を使用した光ファイバ引込方法に関する。
【０００２】
【従来の技術】
従来、電柱に架空された光ファイバを家屋に引込む場合、図９に示すように電柱を介して引き込んだり、図１０に示すようにメッセンジャワイヤに架空案内され配線されてきた任意位置から引き込んでいた。
図９，図１０において、２１は電柱、２２はメッセンジャワイヤ、２４は光ファイバであり、図９では、電柱２１上を架空されて来た光ファイバ２４を電柱２１に設けた支持具であるフック金具２５ａと引留金具２５ｂとで一旦支持させた後、家屋２６に引込んでいる。そして、家屋２６の引込み部は軒下等に設けた外壁引留金具２７ａと引留金具２７ｂとで光ファイバ２４を引留め、引込線収納箱２８を設置して余長分を収納した後に屋内に引込んだ（例えば、非特許文献１参照）。
図１０では、電柱２１上を架空されて来た光ファイバ２４は、電柱間の途中でメッセンジャワイヤ２４に取り付けられた分線金物２９、及び引留金具３０を介して引き込んでいる。
【０００３】
【非特許文献１】
伸興通産株式会社　総合カタログ、２００１年１１月１日発行、ｐ．１８２
【０００４】
【発明が解決しようとする課題】
しかし、上記図９の光ファイバ引込形態は、引き込む際に一旦電柱２１に支持具としてフック金具２５ａ及び引留金具２５ｂを必要としたし、家屋にも同様に外壁引留金具２７ａ及び引留金具２７ｂ、更に引込線収納箱２８を設けていた。そのため、施工に時間がかかるし取り付けの際には光ファイバの加工が必要であった。
また、引き込む途中では光ファイバの連結延長ができないため、引込み位置を変更しようとした場合、電柱２１上に架空した光ファイバを含めて引込線等を全て張り替える必要が生ずる場合があった。この場合、大がかりな工事となっていたし、引込線等の廃棄部材が多く発生していた。
また、上記図１０に示す光ファイバ引込形態は、分線金物２９を使用することで、架空配設線された光ファイバ２４の任意位置から引き込むことができるため、最短距離で引き込むことができるが、図９と同様に家屋には外壁引留金具２７ａ及び引留金具２７ｂを設けた後に引込線収納箱２８を設けていた（何れも図示省略）し、引き込む途中では光ファイバの連結延長ができないため、引込み位置を変更しようとした場合は電柱上に架空配設された部分も含めて引込線を全て張り替える必要が生じていた。
【０００５】
そこで、本発明は上記問題点に鑑み、架空配設されてきた光ファイバの引き込み、及び引込変更等の工事を簡易に実施でき、更に変更工事の際の廃棄部材が少ない光ファイバ収容器具及びその光ファイバ収容器具を使用した光ファイバ引込方法を提供することを目的とする。
【０００６】
【課題を解決するための手段】
上記課題を解決するため、請求項１の発明に係る光ファイバ収容器具は、本体と該本体前面を閉塞する蓋体とから成り、内部に光ファイバ収容空間を有するハウジングと、前記ハウジングの左右何れか一方に設けた分線金物等を係止させる係止部と、前記ハウジング上部に設けた少なくとも１つの光ファイバの支持線を引き留める引留部とを備え、前記ハウジング左右側部に設けた光ファイバ入出線部から導入した光ファイバの余長分或いは連結部をハウジング内に収容可能なことを特徴とする。
なお、分線金物等を係止させる係止部とは、フック状の係止対象に係止可能な係止部を言い、例えば単に係止させる孔を有しているだけでも良いし、係止対象と同様なフック形状としても良い。
【０００７】
請求項２の発明に係る光ファイバ収容器具は、本体と該本体前面を閉塞する蓋体とから成り、内部に光ファイバ収容空間を有するハウジングと、前記ハウジング上部の左右に夫々設けた光ファイバの支持線を引留める引留部とを備え、前記ハウジング左右端部に設けた光ファイバ入出線部から導入した光ファイバの余長分或いは連結部をハウジング内に収容可能なことを特徴とする。
【０００８】
請求項３の発明に係る光ファイバ引込方法は、電柱に架空されたメッセンジャワイヤに分線金物を装着し、前記分線金物に請求項１に記載の光ファイバ収容器具の係止部を係止させて該光ファイバ収容器具の一端をメッセンジャワイヤに取り付け、前記メッセンジャワイヤに沿って架空配設されてきた光ファイバを前記光ファイバ収容器具の一方の入出線部から入線し、他方の入出線部から出線させて出線した光ファイバの支持線を前記光ファイバ収容器具の引留部に支持固定すると共に、出線した光ファイバを家屋に引込むことを特徴とする。
【０００９】
請求項４の発明にに係る光ファイバ引込方法は、電柱に架空された光ファイバを家屋に引き込む際に、引き込む光ファイバの途中に引留部を少なくとも２つ有する請求項１に記載の光ファイバ収容器具、或いは請求項２に記載の光ファイバ収容器具を介在させ、該光ファイバ収容器具の一方の引留部に架空側支持線を支持固定し、他方の引留部に家屋側支持線を支持固定して該支持線の張力により前記光ファイバ収容器具を空中に配置して光ファイバを引き込み、光ファイバの余長分或いは連結部を前記光ファイバ収容器具内に収容することを特徴とする。
【発明の実施の形態】
以下、本発明を具体化した実施の形態を、図面に基づいて詳細に説明する。図１，図２は本発明に係る光ファイバ収容器具の第１の実施形態を示し、図１（ａ）は平面図、図１（ｂ）は正面図、図１（ｃ）は右側面図、また図２はハウジングを開けた状態の正面図を示している。図において、１は本体２と蓋体３とから成る光ファイバ収容器具のハウジング、４は分線金物６（図２に示す。）に係止させる係止部、５は光ファイバの支持線１０を引き留める引留部である。尚、図１（ａ）と図１（ｂ）は支持線１０を引き留めた状態を示している。
【００１０】
ハウジング１は左右方向に中心軸を有する円筒体として形成され、本体２と蓋体３とはその円筒体を中心線上で２分割するように蒲鉾状に形成され、本体２は前方に開口した開口部を有し、蓋体３は下部が本体２に蝶着され本体２の開口部を覆うように装着されている。また、本体２と蓋体３の左右端面は、夫々半円状の側板２ａ，３ａが設けられ、閉塞したハウジング内部に光ファイバ収容空間１１を形成している。
更に、本体２の側板２ａと蓋体３の側板３ａの対向する位置に、ハウジング１を閉じた際に穴状に形成されて光ファイバを挿通するための入出線部７が形成され、図２に示すように入出線部７から挿通された光ファイバ９の余長分或いは連結部が光ファイバ収容空間１１に巻回して収容される。
【００１１】
そして、本体２上部には本体２を補強すると共に本体上部を平坦にする支持台８が左右に渡り形成され、引留部５は支持台８の上面に形成されている。引留部５は、支持台８の一端に形成された支持線１０を案内する案内突起５ａ、支持線１０を巻回する巻回部５ｂ、支持線１０を緊縛して支持するための固定部５ｃから構成され、支持台８と一体に、即ちハウジング１の本体２と一体に形成され、蓋体３と共に全体は合成樹脂の成形により作製されている。
また、支持台８の他端には公知の分線金物６のフック部６ａに係止させる係止部４が、ワイヤーをリング状に折曲げて端部を支持台８に埋設させて設けられている。
【００１２】
図３は、図１の光ファイバ収容器具を用いて、電柱上に架空配設されてきた光ファイバを家屋に引込んだ様子を模式的に示した図であり、１２は電柱、１３は電柱に架空されたメッセンジャワイヤ、１４は光ファイバ収容器具を示し、メッセンジャワイヤ１３に支持されて架空された光ファイバ９はメッセンジャワイヤ１３に連結された光ファイバ収容器具１４を介して家屋１７に引込まれている。引込んだ家屋側では引留金具等で引き留めた後屋内に導入される。
光ファイバ収容器具１４は、分線金物６を介してメッセンジャワイヤ１３に取付けられる。この分線金物６はメッセンジャワイヤを把持して取付けられ、メッセンジャワイヤ１３の任意位置に装着できる。そして、分線金物６のフック部６ａに光ファイバ引込金具１４の係止部４を係止させて取り付けられる。
【００１３】
このように、光ファイバ収容器具は分線金物等に係止させる係止部４と光ファイバの支持線を引き留める引留部５、さらには光ファイバを収容するハウジングが一体に形成されているので、光ファイバを配線するために電柱上に架空配設されたメッセンジャワイヤに分線金物を介して本器具を取付ければ、光ファイバの引留金具や引込線収納箱等を設けることなく光ファイバを引込むことが可能となり、光ファイバの余長分も収容でき、引込工事の簡易化を図ることができる。
また、引込先変更等の工事の際は、ハウジング内に収容されている光ファイバ余長分を利用することで容易に施行できるし、引込線の延長を必要とする工事であっても、ハウジング内に光ファイバ連結部を収容することで、架空された光ファイバまで張り替えるような面倒な工事が必要なくなる。従って、変更工事を簡易に実施できるし廃棄部材も少なくできる。
更に、引込線の家屋側端部に本器具を装着することもでき、その場合は、従来の引込形態と同様に架空配設側に分線金物と引留金具が必要となるが、家屋側は光ファイバ収納箱及び引留金具が必要なくなる。
【００１４】
図４は光ファイバ収容器具の他の例を示し、上記図１の構成とは引留部の構成が異なり、引留部５は左右を延長してハウジング１より突出させて形成した支持台８ａの左右上部に２つ対称配置して設けられている。尚、ハウジング等の同一の構成要素には図１と同一の符号を付与してある。また、各引留部５は、図１と同様に案内突起５ａ、巻回部５ｂ、固定部５ｃから構成されている。
このように構成すれば、電柱に架空配線されてきた光ファイバの支持線も引留めでき、入線側及び出線側双方の支持線を引き留めできる。そのため、メッセンジャワイヤ等で架空案内された既設の光ファイバ配線の途中に介在させることも可能となり、光ファイバを延長する際に好適に使用でき、用途を拡大できる。
【００１５】
また、図５は光ファイバ収容器具の更に他の例を示し、上記図４の構成に加えて、係止部４を設けた図示左端部の案内突起５ａの係止部４側に引留片１６が突設されている。尚、図４と同一の構成部材には同一の符号を付与してある。
引留片１６は、引留片１６を設けた案内突起５ａと合わせて支持線１０を巻回固定する固定部を形成し、巻回部５ｂ、案内突起としての固定部５ｃと合わせて支持線１０の引留部を構成している。また、この実施形態ではハウジング１ａは円筒形状ではなく、略四角形の箱状としている。
このように引留部５を同一方向に２個形成することで、メッセンジャワイヤ１３に本器具を取り付けた際に、１台の光ファイバ収容器具を用いて同時に２箇所の光ファイバ引込操作が可能となり、引き込む家屋が近接している場合等便利である。また、対向方向にも引留部を有するので、図４の構成と同様に既設の光ファイバを延長する際にも使用できる。尚、この場合、ハウジング１ａの入出線部７は、左右に２箇所づつ形成されている。
【００１６】
また、図６は光ファイバ収容器具の更に他の例を示し、図１の構成とは係止部の構成が異なり、係止部４ａを支持台８を延設して支持台８と一体にリング体を設けて形成している。尚、ハウジング等の同一の構成要素には図１と同一の符号を付与してある。
このように、係止部は支持台と一体に、即ちハウジングと一体に形成しても良く、一体にすることで部材を削減でき、コスト削減を図ることができる。
【００１７】
次に光ファイバ収容器具の第２の実施形態を図７を基に説明する。図７は光ファイバ収容器具の正面図を示し、引留部５は上記図４と同様に左右双方に設けられ、また樹脂成形により作成されているが、係止部は設けられていない。また、図７は、光ファイバ９及び支持線１０を装着した状態を示し、第１実施形態と同一の構成部材には同一の符号を附与して説明を省略している。
このように引留部を一対設けることで係止部はなくても良く、本器具を樹脂成形とすることで軽量化が図られているので、架空配設された光ファイバの途中、或いは図８に示すように引込線の途中の任意位置に本器具を無理なく介在させれることができ、引留めた支持線の張力により本器具を空中に良好に配置できる。そうすることで、光ファイバの余長や光ファイバ連結部の収容・保護を容易に実施でき、家屋側に余長収容箱を設ける必要がないし、引込先を変更した際に、電柱間或いは引込部位の任意位置で光ファイバの連結が可能となり、変更工事を簡易に実施できる。
【００１８】
尚、上記図４に示す光ファイバ収容器具も係止部４を使用せずに、図８に示すように引留めた支持線により空中に配置して使用しても良い。
また、上記実施の形態は、何れも効果的な引き込みができるために架空配線の途中から直接家屋に引き込む場合を説明しているが、電柱等を介して引き込む形態においても、光ファイバの収容等に本光ファイバ収容器具は有効に利用できる。更に、ハウジングを略同一形状の本体と蓋体とで形成しているが、本体のみに光ファイバ収容空間を設けて、蓋体は単に本体の一面を閉塞する板状に作製することもできるし、全体を合成樹脂で作成しているが、一端が分線金物等に連結される形態であれば、引留部やハウジング等を金属製としても良い。
また、係止部は、ワイヤを折曲げ或いは支持台と一体に形成してリング体を設けているが、フック状の係止対象に係止可能であれば良く、分線金物６に形成されたフック部６ａと同様な形状としても良い。
【００１９】
【発明の効果】
以上詳述したように、請求項１の発明に係る光ファイバ収容器具によれば、分線金物等に係止させる係止部と光ファイバの支持線を引き留める引留部、さらには光ファイバを収容するハウジングが一体に形成されているので、光ファイバを案内するために電柱上に架空配設されたメッセンジャワイヤに分線金物等を介して本器具を取付ければ、光ファイバの引留金具や引込線収納箱等を設けることなく光ファイバを引込むことが可能となり、光ファイバ余長分或いは連結部を収容でき、引込工事の簡易化を図ることができる。
また、引込先変更等の工事の際は、ハウジング内に収容されている光ファイバ余長分を利用することで、引込線の延長を必要とする工事であっても、本器具内に連結部を設けることで架空された光ファイバまで張り替えるような面倒な工事が必要ない。従って、変更工事を簡易に実施できるし廃棄部材も少なくできる。更に、引込線の家屋側端部に本器具を使用することもでき、その場合は家屋側に別途引留金具及び光ファイバ収納箱が必要なくなる。
【００２０】
請求項２の発明に係る光ファイバ収容器具によれば、光ファイバの支持線を引留める引留部が左右に夫々設けられているので、架空配設された光ファイバの途中、或いは引込線の途中の任意位置に本器具を介在させれることができる。そのため、光ファイバの余長分或いは連結部の収容・保護を容易に実施でき、家屋側に余長収容箱を設ける必要がないし、引込先を変更した際に任意位置で光ファイバの連結が実施でき、変更工事を簡易に実施できる。
【００２１】
請求項３の発明に係る光ファイバ引込方法によれば、メッセンジャワイヤからの分線位置に光ファイバ収容器具を使用するので、光ファイバ引込線の余長分や連結部を収容でき、家屋側に引込線収納箱を設ける必要がない。また、分線位置に引留金具が必要なくなる。
また、引込先の変更が生じても、ハウジング内に収容されている光ファイバ余長分を利用することで、引込線の延長を必要とする工事であっても、本器具内に連結部を設けることで架空された光ファイバまで張り替えるような面倒な工事が必要ない。従って、変更工事を簡易に実施できるし廃棄部材も少なくできる。
【００２２】
請求項４の発明に係る光ファイバ引込方法によれば、引込線の途中に光ファイバ収容器具が介在されるので、例えば光ファイバ連結部のような引込線の都合の良い位置で光ファイバの余長分や連結部を収容でき、無駄なく光ファイバを利用できる。また、光ファイバ収納箱は必要なくなる。
【図面の簡単な説明】
【図１】本発明に係る光ファイバ収容器具の第１の実施形態を示し、（ａ）は平面図、（ｂ）は正面図、（ｃ）は右側面図である。
【図２】図１の光ファイバ収容器具を開けた状態を示す正面図である。
【図３】図１の光ファイバ収容器具を使用して、電柱から光りファイバを家屋に引込んだ様子を示す説明図である。
【図４】本発明の光ファイバ収容器具の他の例を示し、（ａ）は平面図、（ｂ）は正面図、（ｃ）は右側面図である。
【図５】本発明の光ファイバ収容器具の他の例を示し、（ａ）は平面図、（ｂ）は正面図、（ｃ）は右側面図である。
【図６】本発明の光ファイバ収容器具の他の例を示し、（ａ）は平面図、（ｂ）は正面図、（ｃ）は右側面図である。
【図７】本発明の光ファイバ収容器具の第２の実施形態を示す正面図である。
【図８】図７の光ファイバ収容器具を使用して、電柱から光りファイバを家屋に引込んだ様子を示す説明図である。
【図９】従来の光ファイバ引込方法を示す説明図である。
【図１０】従来の光ファイバ引込方法の他の例を示す説明図である。
【符号の説明】
１，１ａ・・ハウジング、２・・本体、３・・蓋体、４，４ａ・・係止部、５・・引留部、５ａ・・案内突起、５ｂ・・巻回部、５ｃ・・固定部、６・・分線金物、７・・入出線部、８，８ａ・・支持台、９・・光ファイバ、１０・・支持線、１１・・光ファイバ収容空間、１２・電柱、１３・・メッセンジャワイヤ、１４・・光ファイバ収容器具。
【図１】
2004129470.tif 000003
【図２】
2004129470.tif 000004
【図３】
2004129470.tif 000005
【図４】
2004129470.tif 000006
【図５】
2004129470.tif 000007
【図６】
2004129470.tif 000008
【図７】
2004129470.tif 000009
【図８】
2004129470.tif 000010
【図９】
2004129470.tif 000011
【図１０】
2004129470.tif 000012